(57)【要約】【課題】音声再生装置を用いて外国語学習等の音声データを再生する際に周囲で大きな音が発生しても、使用者が音声データを聞き逃す事が無く再生が行える音声再生装置を提供する。【解決手段】音声データを格納する記憶部１１と、周囲の音を集音するマイク１３と、予め定めた閾値Ｔｈ１とマイクから出力される周囲の音のレベルとを比較し比較結果を出力する判定部１４と、再生の制御を行う制御部１５と、制御部１５の制御により記憶部１１の音声データを再生する再生部１２と、音声出力を行うヘッドホン１６を有し、周囲の音が大きい場合は再生を停止し、小さくなると再生を再開する。また、再開の際少し戻して再生を再開することも可能である。【選択図】図１
2006295669.tif 000002
【特許請求の範囲】
【請求項１】
音声データを格納する記憶部と、集音するマイクと、前記マイクから出力される音のレベルと予め定めた閾値とを比較し結果を出力する判定部と、前記記憶部に格納された音声データの再生を制御する制御部と、前記記憶部に格納された音声データを前記制御部の制御に基づいて再生を行う再生部を有し、前記判定部から出力された比較結果に基づいて音声データの再生の一時停止と再開を制御することを特徴とする音声再生装置。
【請求項２】
音声データを格納する記憶部と、集音するマイクと、前記マイクから出力される音のレベルと予め定めた第一の閾値とを比較し結果を出力する第一の判定部と、前記マイクから出力される音のレベルと予め定めた第二の閾値とを比較し結果を出力する第二の判定部と、前記記憶部に格納された音声データの再生を制御する制御部と、前記記憶部に格納された音声データを前記制御部の制御に基づいて再生を行う再生部を有し、前記第一の判定部から出力された比較結果に基づいて前記音声データの再生を一時停止し、前記第二の判定部から出力された比較結果に基づいて前記音声データの再生を再開する制御を行うことを特徴とする音声再生装置。
【請求項３】
音声データを格納する記憶部と、集音するマイクと、前記マイクから出力される音のレベルと予め定めた第一の閾値とを比較し結果を出力する第一の判定部と、前記マイクから出力される音のレベルと予め定めた第二の閾値とを比較し結果を出力する第二の判定部と、前記記憶部に格納された音声データの再生を制御する制御部と、前記記憶部に格納された音声データを制御部の制御に基づいて再生を行う再生部を有し、前記第一の判定部から出力された比較結果に基づいて前記音声データの再生を一時停止し、前記第二の判定部から出力された比較結果に基づいて前記音声データを一時停止した位置から予め定めた時間を前に戻した位置から再生を再開することを特徴とする音声再生装置。
【請求項４】
音声データを格納する記憶部と、集音するマイクと、前記マイクから出力される音のレベルと予め定めた第一の閾値とを比較し結果を出力する第一の判定部と、前記マイクから出力される音のレベルと予め定めた第二の閾値とを比較し結果を出力する第二の判定部と、前記記憶部に格納された音声データの再生を制御する制御部と、前記記憶部に格納された音声データを前記制御部の制御に基づいて再生を行う再生部と、前記再生部において無音状態を検出する無音検出部とを有し、前記第一の判定部から出力された比較結果に基づいて前記音声データの再生を一時停止し、前記第二の判定部から出力された比較結果と一時停止した際の前記無音検出部の出力結果に基づいて前記音声データを予め定めた時間を前に戻した位置から再生を再開することを特徴とする音声再生装置。
【請求項５】
音声データを格納する記憶部と、集音するマイクと、前記マイクから出力される音のレベルと予め定めた第一の閾値とを比較し結果を出力する第一の判定部と、前記マイクから出力される音のレベルと予め定めた第二の閾値とを比較し結果を出力する第二の判定部と、前記記憶部に格納された音声データの再生を制御する制御部と、前記記憶部に格納された音声データを制御部の制御に基づいて再生を行う再生部と、前記再生部において無音状態を検出する無音検出部とを有し、前記第一の判定部から出力された比較結果に基づいて前記音声データの再生の一時停止し、前記第二の判定部から出力された比較結果に基づいて前記音声データを直前の予め定めた時間無音状態が継続する無音区間の位置から再生を再開することを特徴とする音声再生装置。
【請求項６】
音声データと音声データのアドレスと関連付けたマークを含む付加データとを格納する記憶部と、集音するマイクと、前記マイクから出力される音のレベルと予め定めた第一の閾値とを比較し結果を出力する第一の判定部と、前記マイクから出力される周囲音のレベルと予め定めた第二の閾値とを比較し結果を出力する第二の判定部と、前記記憶部に格納された音声データの再生を制御する制御部と、前記記憶部に格納された音声データを制御部の制御に基づいて再生を行う再生部とを有し、前記第一の判定部から出力された比較結果に基づいて前記音声データの再生の一時停止と、前記第二の判定部から出力された比較結果に基づいて前記音声データを直前のマークの位置から再生を再開することを特徴とする音声再生装置。
【発明の詳細な説明】
【技術分野】
【０００１】
本発明は、音声再生装置に関し、特にマイクから得られた外部音声信号に基づき制御を行うことが可能な外国語学習のリスニング等に使用される音声再生装置、例えば、ＣＤプレイヤー、ＭＰ３プレイヤー、携帯電話等に関する。
【背景技術】
【０００２】
電車の中等で携帯型音楽プレイヤー（ＣＤプレイヤー、ＭＰ３プレイヤー、携帯電話等）等の音声再生装置を用いて外国語のリスニング等の学習をしている人は多い。例えば、電車の中は、携帯型音楽プレイヤー使用者はヘッドホンを用いて音声を聞いており、常に大小の雑音が外部に存在する状態で使用することになる。しかし、使用されるヘッドホンは携帯性を重視した小型のものが使用される事が多く、外部からの雑音を十分に遮断することができず、外部で大きな音が発生するとリスニング学習の妨げになることがある。雑音により学習を妨げられることを避けるために音量を極度に大きくして対応する使用者もいるが、外部雑音が入るということは当然外部にも漏れるということであり、大きな音が周囲に漏れて迷惑である。また、本人の耳にも障害を及ぼす恐れもあるので、望ましい解決策とはいえない。
【０００３】
そこで、従来の携帯ステレオ装置として、音声や音楽を出力するイヤホン又はヘッドホンと、集音用のマイクを有し、マイクを介して入力された音声信号に基づいて白色性の定常音を雑音として、それを打ち消す推定音を生成し重ね合わせることで定常的な雑音を打ち消し聞き取りやすくし、且つ警報音等の有色音が入力されると有色音を判定し有色音は打ち消さずに出力する構成によって、定常的な雑音を聞き取りやすく必要な警報音などの有色音は聞き取れる携帯音楽再生装置が提案されている（例えば、特許文献１参照）。
【特許文献１】特開平５−１４５９８５号公報（第６ページ、図１）
【発明の開示】
【発明が解決しようとする課題】
【０００４】
しかしながら、前記従来の構成では、音声再生中の周囲の定常的な雑音は抑える事ができるが、警報音等の有色音は打ち消さないような構成としているため、電車に乗車中に他の電車とすれ違う音等の大きな音が短い時間した場合、この大きな音を打ち消すことができず聞こえてしまうことになる。音楽の場合は聞いている途中に警報音や電車のすれ違い音等の大きな音が短い時間で多少入ってしまっても、定常的な雑音を少なくした方が聞きやすさの面では有利であり、特に短い時間聞き逃しても問題は発生しない。しかし、学習としてリスニングを行っている場合は、警報音やすれ違い音などの大きな音が入って文の途中で聞き取れない部分ができてしまうと、理解ができなくなってしまい学習に支障が出るという問題があった。
【課題を解決するための手段】
【０００５】
前記従来の課題を解決するために、本発明の音声再生装置は、音声データを格納する記憶部と、集音するマイクと、マイクから出力される音の信号レベルと予め定めた閾値とを比較して結果を出力する判定部と、音声データを制御部の制御に基づいて再生を行う再生部を有し、判定部から出力された比較結果に基づいて音声データの再生の一時停止と再開を制御する構成とする。
【０００６】
本構成によって、音声再生装置は、記憶部に格納された外国語のリスニング学習等の音声データ再生中に周囲の音をマイクで集音し、周囲の音のレベルが予め定めた閾値以上である結果が判定部から出力された場合に音声データの一時停止を行い、周囲の音のレベルが予め定めた閾値以下になった場合、一時停止を解除して再生を開始することができる。よって、音声データの再生中に、周囲で予め定めた閾値以上の音が発生している間は音声データを一時停止し、周囲の音が閾値以下となったら再生を再開することで、使用者は周囲で一時的な大きな音が発生しても、再生中の音声データについて聞き取れない部分を無くすことができる。
【０００７】
また、本発明の音声再生装置は、音声データを格納する記憶部と、集音するマイクとマイクから出力される音のレベルと予め定めた第一の閾値とを比較し結果を出力する第一の判定部と、マイクから出力される音の信号レベルと予め定めた第二の閾値とを比較し結果を出力する第二の判定部と、音声データの再生を制御する制御部と、記憶部に格納された音声データを制御部の制御に基づいて再生を行う再生部を有し、第一の判定部から出力された比較結果に基づいて音声データの一時停止と第二の判定部から出力された比較結果に基づいて音声データの再生を再開を制御する構成とする。
【０００８】
本構成によって、音声再生装置は、記憶部に格納された外国語のリスニング学習等の音声データの再生中に周囲の音をマイクで集音し、周囲の音のレベルが予め定めた第一の閾値以上である結果が判定部から出力された場合に音声データの一時停止を行い、周囲の音のレベルが予め定めた第二の閾値以下になった場合に一時停止を解除して再生を開始することができる。よって、音声データの再生中に、周囲で予め定めた第一の閾値以上の音が発生している間は音声データを一時停止し、周囲の音が予め定めた第二の閾値以下となったら再生を再開することで、使用者は周囲で大きな音が発生しても聞き取れない部分を無くすことができる。また、周囲の音が第一の閾値に近いレベルで大きくなったり小さくなったりした場合においても、第一の閾値と第二の閾値の差を調整することにより、再生と一時停止が連続で続くなどの不快な状態を無くすことができる。
【０００９】
また、本発明の音声再生装置は、音声データを格納する記憶部と、集音するマイクと、マイクから出力される音のレベルと予め定めた第一の閾値とを比較し結果を出力する第一の判定部と、マイクから出力される音の信号レベルと予め定めた第二の閾値とを比較し結果を出力する第二の判定部と、音声データの再生を制御する制御部と、記憶部に格納された音声データを制御部の制御に基づいて再生を行う再生部を有し、第一の判定部から出力された比較結果に基づいて音声データの再生の一時停止と、第二の判定部から出力された比較結果に基づいて予め定めた時間分、音声データの再生位置を前に戻してから音声データの再生を再開する構成とする。
【００１０】
本構成によって、音声再生装置は、記憶部に格納された外国語リスニング学習等の音声データの再生中に周囲の音をマイクで集音し、周囲の音のレベルが予め定めた第一の閾値以上であったと判定部で判定した場合は音声データの一時停止を行い、周囲の音のレベルが予め定めた第二の閾値以下になった場合は音声データを予め定めた時間だけ再生位置を前に戻してから再開することによって、周囲に発生した大きな音によって一時停止した場合でも音声データを聞き逃すことが無く、且つ発音の途中で停止した場合でも前に戻った位置より再生されるので聞きやすい状態で再生を再開することができる。
【００１１】
また、本発明の音声再生装置は、音声データを記憶する記憶部と、集音するマイクと、マイクから出力される音のレベルと予め定めた第一の閾値とを比較し結果を出力する第一の判定部と、マイクから出力される音のレベルと予め定めた第二の閾値とを比較し結果を出力する第二の判定部と、音声データの再生を制御する制御部と、記憶部に格納された音声データを制御部の制御に基づいて再生を行う再生部と、再生部にて無音状態を検出する無音検出部とを有し、第一の判定部から出力された比較結果に基づいて音声データの再生の一時停止し、第二の判定部から出力された比較結果と一時停止した際の無音検出部の出力結果に基づいて予め定めた時間分の音声データの再生位置を前に戻してから音声データの再生を再開する構成とする。
【００１２】
本構成によって、音声再生装置は、記憶部に格納された外国語リスニング学習等の音声データの再生中に周囲の音をマイクで集音し、周囲の音のレベルが予め定めた第一の閾値以上であることが判定部の出力結果により判明した場合は音声データの一時停止を行い、周囲の音のレベルが予め定めた第二の閾値以下になった場合は、一時停止の際に無音検出部の出力結果により無音状態が予め定めた時間以上である無音区間であった場合には音声データの再開を一時停止した位置から行い、一時停止の際に無音区間でなかった場合は音声データを予め定めた時間分前に戻った位置から再生を行うことができる。これによって、周囲に発生した大きな音によって一時停止した後の再生の再開は、一時停止した時に音声データが無音区間であった場合には再生位置を戻さず再生し、無音区間で無い場合は予め定めた時間前に戻した位置から再生するので、聞き取り易く且つ無駄に再生位置を戻す事がなく再生の再開をすることができる。
【００１３】
また、本発明の音声再生装置は、音声データを記憶する記憶部と、集音するマイクと、マイクから出力される音のレベルと予め定めた第一の閾値とを比較し結果を出力する第一の判定部と、マイクから出力される音のレベルと予め定めた第二の閾値とを比較し結果を出力する第二の判定部と、音声データの再生を制御する制御部と、記憶部に格納された音声データを制御部の制御に基づいて再生を行う再生部と、再生部にて無音状態を検出する無音検出部とを有し、第一の判定部から出力された比較結果に基づいて音声データの再生の一時停止と第二の判定部から出力された比較結果に基づいて直前の無音区間の位置に戻してから音声データの再生を再開する構成とする。
【００１４】
本構成によって、記憶部に格納された外国語リスニング学習等の音声データの再生中に周囲の音をマイクで集音し、周囲の音のレベルが予め定めた第一の閾値以上であることが判定部の結果から判明した場合は音声データの一時停止を行い、周囲の音のレベルが予め定めた第二の閾値以下になった場合は、音声データを直前の予め定めた時間幅で無音状態が継続した無音区間に再生位置を前に戻してから再開することによって、周囲に発生した大きな音によって一時停止した場合でも音声データを聞き逃すことが無く、且つ直前の無音位置より再生されるので聞きやすい状態で再生を再開することができる。
【００１５】
また、本発明の音声再生装置は、音声データと音声データの任意の再生位置に設定したマークと音声データのアドレスと関連付けたデータを含む付加データとを格納する記憶部と、集音するマイクと、マイクから出力される音のレベルと予め定めた第一の閾値とを比較し結果を出力する第一の判定部と、マイクから出力される音のレベルと予め定めた第二の閾値とを比較し結果を出力する第二の判定部と、音声データの再生を制御する制御部と、記憶部に格納された音声データを制御部の制御に基づいて再生を行う再生部とを有し、第一の判定部から出力された比較結果に基づいて音声データの再生の一時停止と、第二の判定部から出力された比較結果に基づいて直前のマークの位置に音声データの再生位置を前に戻してから再生を再開する構成とする。
【００１６】
本構成によって、記憶部に格納された外国語リスニング学習等の音声データの再生中に周囲の音をマイクで集音し、周囲の音のレベルが予め定めた第一の閾値以上であることが判定部の比較結果から判明した場合は音声データの一時停止を行い、周囲の音のレベルが予め定めた第二の閾値以下になった場合は、音声データを直前の予め定めたマークの位置に再生位置を前に戻してから再開することによって、周囲に発生した大きな音によって一時停止した場合でも音声データを聞き逃すことが無く、且つ直前の設定したマーク位置より再生されるので聞きやすい状態で再生を再開することができる。
【発明の効果】
【００１７】
本発明の音声再生装置によれば、外国語リスニング学習等の音声データの再生中に周囲で大きな音が発生しても、マイクで周囲音を集音して大きな音が発生している間は再生を一時停止し、大きな音がなくなった後に再生を再開することにより、使用者が途中で聞き逃す部分が無い再生を行うことができる。
【００１８】
また、予め定めた時間又は直前の無音区間又は直前のマークの位置まで戻してから再生を再開するようにすることで再生が文の途中で停止した場合、音声データの発音の途中から再生が再開されて聞きづらい事を回避することができる。
【発明を実施するための最良の形態】
【００１９】
以下に本発明を実施するための最良の形態の音声再生装置について図面を用いて説明する。
【００２０】
（実施の形態１）
図１に本発明の実施の形態１の音声再生装置のブロック図を示す。図１において、外国語リスニング学習等の教材である音声データを格納する記憶部１１と、周囲の音を集音するマイク１３と、予め定めた閾値Ｔｈ１とマイク１３からの周囲の音のレベルとを比較して判定結果を出力する判定部１４と、音声データの再生を制御する制御部１５と、記憶部１１に格納された音声データを制御部１５の制御に基づいて再生の開始や一時停止を行う再生部１２と、再生部１２から出力信号を音声に変換し出力するヘッドホン１６にて構成される。なお、制御部１５から再生部１２にはＰＬＡＹ信号を送出するようにしている。また、音声データとは、音声情報のデータとその他の付加データを含んだデータであってもよい。
【００２１】
図２は本発明の実施の形態１の周囲音のレベルと閾値Ｔｈ１と再生制御の関係を示す。図２において、時間軸は左から右に時間の経過を、Ｔｈ１は予め定めた閾値、周囲音レベルはマイク１３で集音した周囲の音の信号レベルを示し、ＰＬＡＹ信号は制御部１５より出力されＨで再生を行いＬで再生を停止する再生の制御信号である。Ｔｈ１は、周囲の音がＴｈ１以上になった際に再生中の音声データが聞き取りにくくなる音声レベルの値を予め設定しておく。判定部１４は、音声データ再生中にマイク１３で集音した周囲の音のレベルとＴｈ１を比較し、マイクからの周囲の音のレベルがＴｈ１以上になるとＴｈ１を越えた旨の比較結果の信号を出力する。制御部１５は判定部１４からの比較結果の信号を受け取ると、音声データが聞き取れなくなる恐れがあるとして、ＰＬＡＹ信号をＬとして再生を停止する。その後、周囲音のレベルがＴｈ１以下になると、制御部１５はＰＬＡＹ信号をＨとして再生を再開する。
【００２２】
本発明の実施の形態１の音声再生装置によれば、音声再生の際に周囲の音が、予め定めた閾値以上の場合再生を一時停止して、周囲の音が閾値より小さくなれば再生を再開することにより、周囲の音が大きくても再生中の音声データを途中で聞き逃すことがない音声再生装置を提供することが可能である。
【００２３】
（実施の形態２）
次に実施の形態２について説明する。本発明の実施の形態２では、周囲で発生した音のレベルが再生の停止を判定する閾値に近い場合に、再生停止の判定のための第一の閾値と再生の再開のための第二の閾値を用いて制御を行う音声再生装置について説明する。
【００２４】
図３に本発明の実施の形態２の音声再生装置のブロック図を示す。図３において、外国語リスニング学習等の教材である音声データを格納する記憶部１１と、周囲の音を集音するマイク１３と、予め定めた閾値Ｔｈ１とマイク１３からの周囲の音のレベルとを比較して再生を停止する為の比較結果を出力する第一の判定部１４と、予め定めた閾値Ｔｈ２とマイク１３からの周囲の音のレベルとを比較して再生を再開する為の比較結果を出力する第二の判定部３１と、音声データの再生を制御する制御部３２と、記憶部１１に格納された音声データを制御部３２の制御に基づいて再生の一時停止や再開を行う再生部１２と、再生部から出力信号を音声に変換し出力するヘッドホン１６にて構成される。
【００２５】
図４は本発明の実施の形態２の周囲音のレベルと閾値Ｔｈ１と閾値Ｔｈ２と再生制御の関係を示す。図４において、時間軸は左から右に時間の経過を、Ｔｈ１とＴｈ２は予め定めた閾値、周囲音レベルはマイク１３で集音した周囲の音の信号レベルを示し、ＰＬＡＹ信号は制御部３２より出力されるＨで再生を行いＬで再生を停止する再生の制御信号である。Ｔｈ１は、周囲の音がＴｈ１以上になった際に再生中の音声データが聞き取りにくくなるレベルの値を予め設定しておく。Ｔｈ２は、周囲の音がＴｈ２以下になった際に再生中の音声データが聞き取れるレベルの値で且つＴｈ１より低いレベルの値を予め設定しておく（Ｔｈ１＞Ｔｈ２）。第一の判定部１４は、音声データ再生中にマイク１３で集音した周囲の音のレベルとＴｈ１とを比較し、マイクからの周囲の音のレベルがＴｈ１以上になるとＴｈ１を越えた旨の比較結果の信号を出力する。第二の判定部３１は、同様に、マイク１３で集音した周囲の音のレベルとＴｈ２とを比較し、マイクからの周囲の音のレベルがＴｈ２以下になるとＴｈ２より低くなった旨の比較結果の信号を出力する。制御部３２は第一の判定部１４からの判定結果の信号を受け取ると、音声データが聞き取れなくなる恐れがあるので、ＰＬＡＹ信号をＬとして再生を停止する。そして、周囲音のレベルがＴｈ２以下になり第二の判定部３１からの比較結果の信号を受け取ると、制御部３２はＰＬＡＹ信号をＨとして再生を再開する。
【００２６】
また、再生を停止するための閾値Ｔｈ１と再生を再開するための閾値Ｔｈ２の二種類の閾値を設け、第一の実施の形態よりも更に改良している点について図５を用いて説明する。図５は、仮に実施の形態１の構成において、大きな音が発生した際にマイク１３で集音した周囲の音がＴｈ１に近いレベルであった場合の制御信号の動作を示す。図５において、大きな音が発生している際の周囲音レベルはＴｈ１を一旦下回った後、再度Ｔｈ１付近を上下するレベルを示している、この周囲音のレベルの変化によって、ＰＬＡＹ信号も図５のようにＨＬを繰り返す動きとなり、再生と停止を短い間隔で繰り返し、音声再生装置の使用者にとっては聞きづらい状態となってしまう。そこで、閾値をＴｈ１とＴｈ２と２種類を用いて、且つＴｈ１とＴｈ２との差を予め設定しておくことにより、周囲音のレベルの変化によって再生と停止を短い時間で繰り返してしまう動作を抑えることとしている。
【００２７】
本発明の実施の形態２の音声再生装置によれば、閾値を２種類持つ事によって音声再生の際、周囲音のレベルが予め定めた第一の閾値以上の場合再生を一時停止して、周囲の音が予め定めた第二の閾値以下になれば再生を再開することにより、周囲の音が大きく且つ再生を停止する閾値近辺のレベルであっても再生中の音声が何度も途切れる事がが無く且つ聞き易い音声再生装置を提供することが可能である。
【００２８】
（実施の形態３）
次に実施の形態３について説明する。本発明の実施の形態３では、周囲の音に対して判定を行い再生を一時停止した後、一時停止した位置より再生位置を前に戻した後に再生の再開を行う装置について説明する。
【００２９】
図６に本発明の実施の形態３の音声再生装置のブロック図を示す。図６において、外国語リスニング学習等の教材である音声データを格納する記憶部１１と、周囲の音を集音するマイク１３と、予め定めた閾値Ｔｈ１とマイク１３からの周囲の音のレベルとを比較して再生を停止する為の比較結果を出力する第一の判定部１４と、予め定めた閾値Ｔｈ２とマイク１３からの周囲の音のレベルとを比較して再生を再開する為の比較結果を出力する第二の判定部３１と、音声データの再生を制御する制御部６２と、記憶部１１に格納された音声データを制御部６２の制御に基づいて再生の開始又は再生位置を前に戻してから再開を行う再生部６１と、再生部から出力信号を音声に変換し出力するヘッドホン１６にて構成される。特に制御部６２から再生部６１に対して、ＰＬＡＹ信号の他にＲＥＷ信号を送出するようにしている。
【００３０】
図７は本発明の実施の形態３の周囲音のレベルと閾値Ｔｈ１と閾値Ｔｈ２と再生制御の関係を示す。図７において、時間軸は左から右に時間の経過を、Ｔｈ１とＴｈ２は予め定めた閾値、周囲音レベルはマイク１３で集音した周囲の音の信号レベルを示し、ＰＬＡＹ信号は制御部６２より出力されＨで再生を行いＬで再生を停止する再生の制御信号であり、ＲＥＷ信号は制御部６２より出力されＨで再生位置を前に戻す制御信号であり、ｔｒｅｗはＲＥＷ信号によって再生位置を前に戻す為の予め定めた時間である。Ｔｈ１は、周囲の音がＴｈ１以上になった際に再生中の音声データが聞き取りにくくなるレベルの値を予め設定しておく。Ｔｈ２は、周囲の音がＴｈ２以下になった際に再生中の音声データが聞き取れるレベルの値で且つＴｈ１より低いレベルの値を予め設定しておく。ｔｒｅｗは、Ｔｈ１で再生を停止しＴｈ２で再生を再開する際に、再生を停止した位置でそのまま再生を再開すると音声データが文の発音の途中であった場合聞き取りにくいので、再生位置を前に戻して再開するように予め定めておく。判定部１４は、音声データ再生中にマイク１３で集音した周囲の音のレベルとＴｈ１とを比較し、マイクからの周囲の音のレベルがＴｈ１以上になるとＴｈ１を越えた旨の比較結果の信号を出力する。第二の判定部３１は、同様に、マイク１３で集音した周囲の音のレベルとＴｈ２とを比較し、マイクからの周囲の音のレベルがＴｈ２以下になるとＴｈ２より低くなった旨の比較結果の信号を出力する。制御部６２は第一の判定部１４からの判定結果の信号を受け取ると、音声データが聞き取れなくなる恐れがあるので、ＰＬＡＹをＬとして再生を停止する。そして、周囲音のレベルがＴｈ２以下になり第二の判定部３１からの比較結果の信号を受け取ると、制御部６２はＲＥＷ信号をｔｒｅｗの間Ｈとして再生位置を前に戻す制御を再生部６１に対して行う。ｔｒｅｗ経過の後、制御部６２はＲＥＷ信号をＬとし再生位置を前に戻す制御を止め、ＰＬＡＹ信号をＨとして再生を再開する。
【００３１】
本発明の実施の形態３の音声再生装置によれば、周囲音のレベルが予め定めた第一の閾値以上の場合再生を一時停止して、周囲の音が予め定めた第二の閾値以下になれば予め定めた時間再生位置を前に戻してから再生を再開することにより、周囲の音が大きく且つ再生を停止した際に文や発音の途中であったとしても、再生中の音声データを途中で聞き逃さず且つ再生の再開時に聞き取りやすい音声再生装置を提供することが可能である。
【００３２】
（実施の形態４）
次に実施の形態４について説明する。本発明の実施の形態４では、周囲の音に対して判定を行い再生を一時停止した後、一時停止した際の再生位置が無音の場合は再生位置を前に戻さず、無音でなければ一時停止した位置より再生位置を前に戻してから再生の再開を行う音声再生装置について説明する。
【００３３】
図８に本発明の実施の形態４の音声再生装置のブロック図を示す。図８において、外国語リスニング学習等の教材である音声データを格納する記憶部１１と、周囲の音を集音するマイク１３と、予め定めた閾値Ｔｈ１とマイク１３からの周囲の音のレベルとを比較して再生を停止する為の比較結果を出力する第一の判定部１４と、予め定めた閾値Ｔｈ２とマイク１３からの周囲の音のレベルとを比較して再生を再開する為の比較結果を出力する第二の判定部３１と、音声データの再生を制御する制御部８２と、記憶部１１に格納された音声データを制御部８２の制御に基づいて再生の開始と再生位置を前に戻してから再開を行う再生部８１と、再生部８１にて無音区間を検出する無音検出部８３と、再生部８１からの出力信号を音声に変換し出力するヘッドホン１６にて構成される。
【００３４】
本発明の実施の形態４の音声再生装置の音声の再生を一時停止する制御は実施の形態１から３と同一であり、説明を省略する。無音検出部８３は、再生部８１で再生される音声信号を監視し、予め定めた閾値Ｔｈ３に満たない区間を無音区間として検出し、無音区間であることを制御部８２に伝えるように構成している。
【００３５】
図９は本発明の実施の形態４の再生音のレベルと無音検出のための閾値Ｔｈ３と無音検出結果の出力信号との関係を示す。図９において、時間軸は左から右に時間の経過を、Ｔｈ３は予め定めた閾値、再生音レベルは再生部８１におけるレベルを示し、無音検出１は無音検出部８３から出力される無音状態を検出した結果の信号であり、再生音レベルが閾値Ｔｈ３より小である無音状態を検出するとＨを出力する。本発明の実施の形態４においては、無音状態が予め定めた時間以上継続する無音区間の判定は、無音検出１の信号を用いて制御部８２にて判定を行うこととして説明を行う。
【００３６】
次に再生を再開する際の動作について説明する。図１０は本発明の実施の形態４の音声再生装置の音声再生を再開する際のフローを示す。図１０において、周囲音レベルが閾値Ｔｈ１以上となり再生を停止している状態にて、周囲音のレベルが閾値Ｔｈ２以下となると（Ｓ１０１）、再生を停止した際に無音検出部８３からの出力がＬであり無音区間で無い場合（Ｓ１０２）には、再生を停止した位置からｔｒｅｗだけ再生位置を前に戻し（Ｓ１０３）、再生を再開する（Ｓ１０４）。再生を停止した際に無音検出部７３からの出力が無音を示すＨであり無音区間であった場合（Ｓ１０２）には、再生を停止した位置からそのまま再生を再開する（Ｓ１０４）。
【００３７】
本発明の実施の形態４の周囲音のレベルと閾値Ｔｈ１と閾値Ｔｈ２と再生制御の関係は、再生を一時停止した際に無音区間でなければ実施の形態３で説明した図７と同一であり、再生を一時停止した際に無音区間であれば実施の形態２で説明した図４と同一となる。
【００３８】
本発明の実施の形態４の音声再生装置によれば、周囲音のレベルが予め定めた第一の閾値以上の場合再生を一時停止して、周囲の音が予め定めた第二の閾値以下になると、再生を一時停止した際に再生音が無音区間であれば停止した位置で再生を再開し、無音区間でなければ予め定めた時間再生位置を前に戻してから再生を再開することにより、周囲の音が大きく且つ再生を停止した際に文や発音の途中であったとしても、再生中の音声データを途中で聞き逃さず再生の再開時に聞き取りやすく且つ停止時に無音区間であれば再開時に無駄な無音区間を再生することがない音声再生装置を提供することが可能である。
【００３９】
なお、本発明の実施の形態４にて説明した無音区間の検出方法については、従来いくつかの方法が提案されており、本発明においては上記で説明した方法を使用したが、無音区間の検出方法は他の方法を使用してもよい。
【００４０】
（実施の形態５）
次に実施の形態５について説明する。本発明の実施の形態５では、周囲の音に対して判定を行い再生を一時停止した後、一時停止した位置より再生位置を直前の無音区間の位置まで戻してから再生の再開を行う装置について説明する。
【００４１】
本発明の実施の形態５のブロック図は実施の形態４の図８と同一であるので、図８を用いて説明をする。記憶部１１に格納された音声データを再生部８１にて再生する。再生中にマイク１３から集音された周囲の音声の信号レベルと予め定めた閾値Ｔｈ１の比較結果に基づいて第一の判定部１４より判定結果を出力し、制御部８２は周囲音が閾値Ｔｈ１以上であれば再生部８１に対してＰＬＡＹ信号をＬとして再生を停止する。図９で説明した通り、無音検出部８３は、再生部８１にて再生中の音声データの再生音レベルが閾値Ｔｈ３以下の区間は無音を示す無音検出１にてＨを出力する。また、無音検出２は、無音検出１と同様に無音検出部８３から出力される無音検出結果の信号であり、再生音レベルが閾値Ｔｈ３より小である無音状態であり且つ予め定められた時間ｔ１以上であった場合にＨを出力する。制御部８２は、本実施例では無音検出２を用いて、無音状態がｔ１以上継続する無音区間の場合その無音区間の再生位置の終わりに対応する記憶部１１の音声データのアドレスを記憶する。この記憶した音声データのアドレスが、直前の無音区間の終わりの位置となり、次に音声データを再開する位置となる。
【００４２】
次に、マイク１３から出力される周囲の音声レベルが予め定めた閾値Ｔｈ２以下になった場合に再生を再開する制御について説明する。第二の判定部３１からの比較結果に基づいて、制御部８２は、周囲の音のレベルが閾値Ｔｈ２以下になったと判断すると、音声データの再生位置を停止時に記憶した再生位置に戻して再生を開始する。これによって、再生を停止した位置の直前の無音区間で再生を再開することになる。また、再生位置を記憶した直前の無音区間の位置に戻す方法としては、図８中の制御部８２がＲＥＷ信号を用いて再生部８１を制御し対応するアドレスの位置まで戻す方法でも、図１１に示すブロック図のように制御部１１２がＲＥＷ信号を使用せずに記憶部１１の対するアドレスから音声データのデータを再生部１１１に転送するよう制御してよい。図１１は図８に対してＲＥＷ信号を削除した図である。
【００４３】
本発明の実施の形態５の周囲音のレベルと閾値Ｔｈ１と閾値Ｔｈ２と再生制御の関係は、図８のブロック図のＲＥＷ信号を使用して再生部８１を制御部８２により制御し、対応するアドレス位置に戻す方法を使用した場合は実施の形態３で説明した図７と同一となる。ｔｒｅｗは、制御部８２が記憶した直前の無音区間の位置と関連付けた記憶部１１のアドレス位置まで戻すのにかかる時間に設定される。図１１のブロック図を使用した方法の場合であれば実施の形態２で説明した図４と同一となる。
【００４４】
本発明の実施の形態５の音声再生装置によれば、周囲音のレベルが予め定めた第一の閾値以上の場合再生を一時停止して、周囲の音が予め定めた第二の閾値以下になると再生を一時停止し位置の直前の無音区間の位置から再生を再開することにより、周囲の音が大きく且つ再生を停止した際に文や発音の途中であったとしても、再生中の音声データを途中で聞き逃さず、且つ再生の再開時に直前の再生音の切れ目である無音区間より再生するので聞き取りやすい音声再生装置を提供することが可能である。
【００４５】
なお、無音検出区間の検出とその無音区間位置の記憶とその記憶された位置へ再生位置を移動させること自体は従来いくつかの方法が提案されており、本発明の実施の形態５にて説明した方法以外を使用してもよい。また、音声データのデータ形式によっては、音声データの単位として有音と無音を識別する符号を有している場合は、その識別符号を使用して無音の検出を行ってもよい。
【００４６】
（実施の形態６）
次に実施の形態６について説明する。本発明の実施の形態６では、周囲の音に対して判定を行い再生を一時停止した後、再生位置を一時停止した位置の直前の予め定めたマークの位置まで戻してから再生の再開を行う装置について説明する。
【００４７】
図１２に本発明の実施の形態６の音声再生装置のブロック図を示す。図１２において、外国語リスニング学習の教材等である音声データを格納する記憶部１２１と、周囲の音を集音するマイク１３と、予め定めた閾値Ｔｈ１とマイク１３からの周囲の音のレベルとを比較して再生を停止する為の比較結果を出力する第一の判定部１４と、予め定めた閾値Ｔｈ２とマイク１３からの周囲の音のレベルとを比較して再生を再開する為の比較結果を出力する第二の判定部３１と、音声データの再生を制御する制御部１２２と、記憶部１２１に格納された音声データを制御部１２２の制御に基づいて再生の開始と再生位置をマークに対応したアドレス位置に戻して再開を行う再生部６１と、再生部から出力信号を音声に変換し出力するヘッドホン１６にて構成される。
【００４８】
また、記憶部１２１に記憶されている外国語リスニング学習の教材等である音声データは音声情報のデータの他に制御用データを含む付加データからなる。付加データは、リスニング学習用のデータであれば文の最初等の任意の位置に使用者等が設定したマークとマークに関連付けたアドレス、及び他のマークの付加情報等を記憶する。
【００４９】
本発明の実施の形態６の周囲音のレベルと閾値Ｔｈ１と閾値Ｔｈ２と再生制御の関係は、周囲音のレベルが閾値Ｔｈ１以上であれば再生を一時停止し、閾値Ｔｈ２以下となると再生を停止した位置の直前のマーク位置まで再生位置を戻してから再生を再開する制御を行い、実施の形態２で説明した図４と同一となる。
【００５０】
次に再生を再開する際の動作について説明する。図１３は本発明の実施の形態６の音声再生装置の音声再生を再開する際のフローを示す。図１３において、周囲音レベルが閾値Ｔｈ１以上となり再生を停止している状態にて、周囲音のレベルが閾値Ｔｈ２以下となると（Ｓ１３１）、再生開始位置を再生を停止した位置から直前のマークの位置に戻し（Ｓ１３２）、再生を再開する（Ｓ１３３）。
【００５１】
本発明の実施の形態６の音声再生装置によれば、周囲音のレベルが予め定めた第一の閾値以上の場合再生を一時停止して、周囲の音が予め定めた第二の閾値以下となると再生を一時停止した直前のマークの位置から再生を再開することにより、周囲の音が大きく且つ再生を停止した際に文や発音の途中であったとしても、再生中の音声データを途中で聞き逃さず、且つ再生の再開時に直前の文の頭等に設定したマーク位置から再生するので聞き取りやすい音声再生装置を提供することが可能である。
【００５２】
なお、マークの記憶とその管理とマークに関連付けられた位置へ再生位置を移動させる方法に関しては従来いくつかの方法が提案されており、本発明の実施の形態６にて説明した方法以外を使用してもよい。
【００５３】
さらに、外国語リスニング学習の教材等である音声データを格納する記憶部は、例えば取り外し可能なメモリカード等の外部メモリ、内蔵メモリ、ＣＤ等の記録媒体であればよい。
【００５４】
（実施の形態７）
次に実施の形態７について説明する。本発明の実施の形態１から６の音声再生装置において、集音用のマイクは専用装置として説明を行ったが、本発明の実施の形態７では、例えば携帯電話等の携帯端末装置に本機能を組み込むことは可能であるので、携帯電話に組み込んだ場合、マイクは従来の携帯電話で使用する携帯電話機のマイクを兼用をする装置について説明する。図１４にマイクを組み込んだ携帯電話のブロック図を示す。図１４において、携帯電話１４０１は、アンテナ１４０２を経由して受話データを受信し、無線部１４０３にて復調して、制御部１４０４にデータを転送し、音声処理部１４０７により音声に変換し、スピーカ１４０８から音声出力を行う。また送話は、マイク１４１０より入力された音声を音声処理部１４０７により音声データに変換し制御部１４０４にデータを転送し、無線部１４０３により変調して、アンテナ１４０２より送信する。メモリ１４０５には携帯電話１４０１を動作させるためのプログラムを格納している。また、外部メモリ１４０６は、使用者の他データを格納している。音声再生のための音声データは、メモリ１４０５又は外部メモリ１４０６のどちらに格納してもよい。
【００５５】
本発明の実施の形態７の携帯電話機によれば、周囲音のレベルが予め定めた第一の閾値以上の場合再生を一時停止して、周囲の音が予め定めた第二の閾値以下になれば予め定めた時間若しくは直前の無音区間若しくは直前のマークまで再生位置を前に戻して再生を再開することにより、周囲の音が大きく且つ再生を停止した際に文や発音の途中であったとしても、再生中の音声データを途中で聞き逃さず且つ再生の再開時に聞き取りやすい音声再生機能を有する携帯電話機を提供することが可能である。
【産業上の利用可能性】
【００５６】
本発明の音声再生装置によれば、外国語リスニング学習等の音声データを再生中に周囲で大きな音が発生しても、マイクにより周囲の音を集音し予め定めた第一の閾値以上であれば再生を一時停止し、予め定めた第一若しくは第二の閾値以下となれば、再生を少し戻した位置若しくは直前の無音区間の位置若しくは直前の文頭等に設定したマークの位置から再生を再開することで、音声データを聞き逃すこと無く再生が行うことができるので、リスニング学習用の音声再生装置、特に携帯用の音声再生装置として有用である。
【図面の簡単な説明】
【００５７】
【図１】本発明の実施の形態１の音声再生装置のブロック図
【図２】本発明の実施の形態１の周囲音のレベルと閾値Ｔｈ１と再生制御の関係図
【図３】本発明の実施の形態２の音声再生装置のブロック図
【図４】本発明の実施の形態２の周囲音のレベルと閾値Ｔｈ１とＴｈ２と再生制御の関係図
【図５】本発明の実施の形態２の周囲音のレベルと閾値Ｔｈ１と再生制御の関係図
【図６】本発明の実施の形態３の音声再生装置のブロック図
【図７】本発明の実施の形態３の周囲音のレベルと閾値Ｔｈ１とＴｈ２と再生制御の関係図
【図８】本発明の実施の形態４の音声再生装置のブロック図
【図９】本発明の実施の形態４の再生音声のレベルと閾値Ｔｈ３と無音検出信号の関係図
【図１０】本発明の実施の形態４の音声再生装置の音声再生を再開する際のフロー図
【図１１】本発明の実施の形態５の音声再生装置のブロック図
【図１２】本発明の実施の形態６の音声再生装置のブロック図
【図１３】本発明の実施の形態６の音声再生装置の音声再生を再開する際のフロー図
【図１４】本発明の実施の形態７の音声再生装置を搭載した携帯電話のブロック図
【符号の説明】
【００５８】
１１、１２１  記憶部
１２、６１、８１、１１１  再生部
１３  マイク
１４  第一の判定部
１５、３２、６２、８２、１１２、１２２  制御部
１６  ヘッドホン
３１  第二の判定部
８３  無音検出部
１４０１  携帯電話
１４０２  アンテナ
１４０３  無線部
１４０４  制御部
１４０５  メモリ
１４０６  外部メモリ
１４０７  音声処理部
１４０８  スピーカ
１４０９  ヘッドホン
１４１０  マイク
【図１】
2006295669.tif 000003
【図２】
2006295669.tif 000004
【図３】
2006295669.tif 000005
【図４】
2006295669.tif 000006
【図５】
2006295669.tif 000007
【図６】
2006295669.tif 000008
【図７】
2006295669.tif 000009
【図８】
2006295669.tif 000010
【図９】
2006295669.tif 000011
【図１０】
2006295669.tif 000012
【図１１】
2006295669.tif 000013
【図１２】
2006295669.tif 000014
【図１３】
2006295669.tif 000015
【図１４】
2006295669.tif 000016